(57)【特許請求の範囲】
【請求項１】
上位装置に搭載されて使用されるカードリーダにおいて、
カードの挿入口が形成される側を手前側とし、その反対側を奥側とすると、
前記挿入口から挿入された前記カードが搬送されるカード搬送路と、前記挿入口の奥側に配置されオフ状態からオン状態に切り替わることで前記カードを検知するカード挿入検知機構と、前記カード挿入検知機構よりも奥側に配置され前記カード搬送路で前記カードを搬送する搬送ローラと、前記搬送ローラの回転を検知するための回転検知機構と、前記搬送ローラよりも奥側に配置されオフ状態からオン状態に切り替わることで前記カードを検知するカード検知機構とを備え、
前記カードリーダの制御部は、前記カード挿入検知機構がオフ状態からオン状態に切り替わった後に、前記回転検知機構による前記搬送ローラの回転が検知されていないにもかかわらず、前記カード検知機構がオフ状態からオン状態に切り替わると、スキミング装置が前記挿入口から挿入されたことを知らせるアラーム信号を前記上位装置の制御部に送信することを特徴とするカードリーダ。
【請求項２】
上位装置に搭載されて使用されるカードリーダにおいて、
カードの挿入口が形成される側を手前側とし、その反対側を奥側とすると、
前記挿入口の奥側に配置されオフ状態からオン状態に切り替わることで前記カードを検知するカード挿入検知機構と、前記カード挿入検知機構よりも奥側に配置されオフ状態からオン状態に切り替わることで前記カードを検知する第１のカード検知機構と、前記第１のカード検知機構よりも奥側に配置されオフ状態からオン状態に切り替わることで前記カードを検知する第２のカード検知機構とを備え、
前記カードリーダの制御部は、前記カード挿入検知機構がオフ状態からオン状態に切り替わった後、前記カード挿入検知機構がオン状態からオフ状態に切り替わる前に、前記第１のカード検知機構がオフ状態であるにもかかわらず、前記第２のカード検知機構がオン状態になると、スキミング装置が前記挿入口から挿入されたことを知らせるアラーム信号を前記上位装置の制御部に送信することを特徴とするカードリーダ。
【請求項３】
上位装置に搭載されて使用されるカードリーダにおいて、
カードに形成されるＩＣチップの外部接続端子に接触する複数のＩＣ接点バネを有するＩＣ接点ブロックと、前記ＩＣ接点バネが前記外部接続端子に接触可能な接触可能位置と前記ＩＣ接点バネが前記外部接続端子に接触しないように退避する退避位置との間で前記ＩＣ接点ブロックを移動させる移動機構とを備え、
前記カードリーダの制御部は、前記カードの挿入口への前記カードの挿入許可指令が前記上位装置の制御部から入力されたときに、前記退避位置にある前記ＩＣ接点ブロックを前記接触可能位置に移動させて前記ＩＣ接点バネに電流を供給するとともに、複数の前記ＩＣ接点バネの間の短絡が検知されると、スキミング装置が前記カードリーダの内部に取り付けられていることを知らせるアラーム信号を前記上位装置の制御部に送信することを特徴とするカードリーダ。
【請求項４】
上位装置に搭載されて使用されるカードリーダにおいて、
カードの挿入口が形成される側を手前側とし、その反対側を奥側とすると、
前記挿入口から挿入された前記カードが搬送されるカード搬送路と、前記カード搬送路で前記カードを搬送するカード搬送機構と、前記挿入口の奥側に配置されオフ状態からオン状態に切り替わることで前記カードを検知するカード挿入検知機構と、前記カード挿入検知機構よりも奥側に配置されオフ状態からオン状態に切り替わることで前記カードを検知するカード検知機構とを備え、
前記カードリーダでの前記カードの処理時に前記カード搬送機構によって奥側まで搬送された前記カードの手前端は、前記カード検知機構よりも手前側に配置されており、
前記カードリーダの制御部は、前記カードリーダへの前記カードの取込動作時に、前記カード挿入検知機構がオフ状態からオン状態に切り替わった後、前記カード検知機構がオフ状態からオン状態に切り替わり、その後、前記カード挿入検知機構がオン状態からオフ状態に切り替わった後に、前記カード検知機構がオフ状態に切り替わると、前記カード搬送機構に手前側への搬送動作を行わせるとともに、その後、前記カード挿入検知機構のオフ状態が維持されると、スキミング装置が前記挿入口から挿入されたことを知らせるアラーム信号を前記上位装置の制御部に送信することを特徴とするカードリーダ。
【請求項５】
上位装置に搭載されて使用されるカードリーダにおいて、
カードの挿入口が形成される側を手前側とし、その反対側を奥側とすると、
前記挿入口から挿入された前記カードが搬送されるカード搬送路と、前記カード搬送路で前記カードを搬送するカード搬送機構と、前記挿入口の奥側に配置されオフ状態からオン状態に切り替わることで前記カードに形成されるＩＣチップの外部接続端子を検知する金属検知機構と、前記金属検知機構よりも奥側に配置されオフ状態からオン状態に切り替わることで前記カードを検知するカード検知機構とを備え、
前記カードリーダでの前記カードの処理時に前記カード搬送機構によって奥側まで搬送された前記カードの手前端は、前記カード検知機構よりも手前側に配置されており、
前記カードリーダの制御部は、前記カードリーダへの前記カードの取込動作時に、前記外部接続端子が形成された正規の前記カードが前記挿入口に挿入されたときの態様と異なる態様で前記金属検知機構がオンオフし、かつ、前記カード検知機構がオフ状態からオン状態に切り替わった後に、前記カード検知機構がオフ状態に切り替わると、スキミング装置が前記挿入口から挿入されたことを知らせるアラーム信号を前記上位装置の制御部に送信することを特徴とするカードリーダ。
【請求項６】
カードの挿入口が形成される側を手前側とし、その反対側を奥側とすると、前記挿入口から挿入された前記カードが搬送されるカード搬送路と、前記挿入口の奥側に配置されオフ状態からオン状態に切り替わることで前記カードを検知するカード挿入検知機構と、前記カード挿入検知機構よりも奥側に配置され前記カード搬送路で前記カードを搬送する搬送ローラと、前記搬送ローラの回転を検知するための回転検知機構と、前記搬送ローラよりも奥側に配置されオフ状態からオン状態に切り替わることで前記カードを検知するカード検知機構とを備え、上位装置に搭載されて使用されるカードリーダの制御方法であって、
前記カード挿入検知機構がオフ状態からオン状態に切り替わった後に、前記回転検知機構による前記搬送ローラの回転が検知されていないにもかかわらず、前記カード検知機構がオフ状態からオン状態に切り替わると、スキミング装置が前記挿入口から挿入されたことを知らせるアラーム信号を前記上位装置の制御部に送信することを特徴とするカードリーダの制御方法。
【請求項７】
カードの挿入口が形成される側を手前側とし、その反対側を奥側とすると、前記挿入口の奥側に配置されオフ状態からオン状態に切り替わることで前記カードを検知するカード挿入検知機構と、前記カード挿入検知機構よりも奥側に配置されオフ状態からオン状態に切り替わることで前記カードを検知する第１のカード検知機構と、前記第１のカード検知機構よりも奥側に配置されオフ状態からオン状態に切り替わることで前記カードを検知する第２のカード検知機構とを備え、上位装置に搭載されて使用されるカードリーダの制御方法であって、
前記カード挿入検知機構がオフ状態からオン状態に切り替わった後、前記カード挿入検知機構がオン状態からオフ状態に切り替わる前に、前記第１のカード検知機構がオフ状態であるにもかかわらず、前記第２のカード検知機構がオン状態になると、スキミング装置が前記挿入口から挿入されたことを知らせるアラーム信号を前記上位装置の制御部に送信することを特徴とするカードリーダの制御方法。
【請求項８】
カードに形成されるＩＣチップの外部接続端子に接触する複数のＩＣ接点バネを有するＩＣ接点ブロックと、前記ＩＣ接点バネが前記外部接続端子に接触可能な接触可能位置と前記ＩＣ接点バネが前記外部接続端子に接触しないように退避する退避位置との間で前記ＩＣ接点ブロックを移動させる移動機構とを備え、上位装置に搭載されて使用されるカードリーダの制御方法であって、
前記カードの挿入口への前記カードの挿入許可指令が前記上位装置の制御部から入力されたときに、前記退避位置にある前記ＩＣ接点ブロックを前記接触可能位置に移動させて前記ＩＣ接点バネに電流を供給するとともに、複数の前記ＩＣ接点バネの間の短絡が検知されると、スキミング装置が前記カードリーダの内部に取り付けられていることを知らせるアラーム信号を前記上位装置の制御部に送信することを特徴とするカードリーダの制御方法。
【請求項９】
上位装置に搭載されて使用されるカードリーダであって、カードの挿入口が形成される側を手前側とし、その反対側を奥側とすると、前記挿入口から挿入された前記カードが搬送されるカード搬送路と、前記カード搬送路で前記カードを搬送するカード搬送機構と、前記挿入口の奥側に配置されオフ状態からオン状態に切り替わることで前記カードを検知するカード挿入検知機構と、前記カード挿入検知機構よりも奥側に配置されオフ状態からオン状態に切り替わることで前記カードを検知するカード検知機構とを備え、前記カードリーダでの前記カードの処理時に前記カード搬送機構によって奥側まで搬送された前記カードの手前端は、前記カード検知機構よりも手前側に配置されているカードリーダの制御方法であって、
前記カードリーダへの前記カードの取込動作時に、前記カード挿入検知機構がオフ状態からオン状態に切り替わった後、前記カード検知機構がオフ状態からオン状態に切り替わり、その後、前記カード挿入検知機構がオン状態からオフ状態に切り替わった後に、前記カード検知機構がオフ状態に切り替わると、前記カード搬送機構に手前側への搬送動作を行わせるとともに、その後、前記カード挿入検知機構のオフ状態が維持されると、スキミング装置が前記挿入口から挿入されたことを知らせるアラーム信号を前記上位装置の制御部に送信することを特徴とするカードリーダの制御方法。
【請求項１０】
上位装置に搭載されて使用されるカードリーダであって、カードの挿入口が形成される側を手前側とし、その反対側を奥側とすると、前記挿入口から挿入された前記カードが搬送されるカード搬送路と、前記カード搬送路で前記カードを搬送するカード搬送機構と、前記挿入口の奥側に配置されオフ状態からオン状態に切り替わることで前記カードに形成されるＩＣチップの外部接続端子を検知する金属検知機構と、前記金属検知機構よりも奥側に配置されオフ状態からオン状態に切り替わることで前記カードを検知するカード検知機構とを備え、前記カードリーダでの前記カードの処理時に前記カード搬送機構によって奥側まで搬送された前記カードの手前端は、前記カード検知機構よりも手前側に配置されているカードリーダの制御方法であって、
前記カードリーダへの前記カードの取込動作時に、前記外部接続端子が形成された正規の前記カードが前記挿入口に挿入されたときの態様と異なる態様で前記金属検知機構がオンオフし、かつ、前記カード検知機構がオフ状態からオン状態に切り替わった後に、前記カード検知機構がオフ状態に切り替わると、スキミング装置が前記挿入口から挿入されたことを知らせるアラーム信号を前記上位装置の制御部に送信することを特徴とするカードリーダの制御方法。
【発明の詳細な説明】
【技術分野】
【０００１】
本発明は、カードに記録された磁気データの読取やカードへの磁気データの記録を行うカードリーダに関する。また、本発明は、かかるカードリーダの制御方法に関する。
【背景技術】
【０００２】
従来、カードに記録された磁気データの読取やカードへの磁気データの記録を行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、カード挿入部の前面側にスキミング用の磁気ヘッド（以下、「スキミング用磁気ヘッド」とする。）が取り付けられたことを検知するための金属センサを備えるカードリーダが提案されている（たとえば、特許文献１参照）。
【０００３】
特許文献１に記載のカードリーダでは、金属センサは、中空状に形成されるカード挿入部の内部に配置されている。また、金属センサは、磁性材料で形成されるコアと、コアに巻回される一対の励磁用コイルおよび検出用コイルとを備えている。このカードリーダでは、金属センサによって金属材料を含む異物が検知されると、所定の異常処理が実行されており、カード挿入部の前面側に取り付けられたスキミング用磁気ヘッドによる磁気データの読取を阻止することが可能となっている。
【先行技術文献】
【特許文献】
【０００４】
【特許文献１】特開２０１３−３７５５５号公報
【発明の概要】
【発明が解決しようとする課題】
【０００５】
犯罪者によるスキミングの手口は年々巧妙化しており、カードリーダの内部に、カードの磁気データを読み取るためのスキミング用磁気ヘッド等のスキミング用の装置（以下、「スキミング装置」とする。）が取り付けられるといった事態が生じている。特許文献１に記載のカードリーダでは、カード挿入部の前面側に取り付けられたスキミング装置を金属センサによって検知することは可能であるが、カードリーダの内部に取り付けられたスキミング装置を金属センサによって検知することはできない。そのため、このカードリーダでは、カードリーダの内部にスキミング装置が取り付けられると、スキミング装置による磁気データの読取を阻止することはできない。また、このカードリーダでは、カードリーダの内部にスキミング装置が取り付けられるのを阻止することはできない。
【０００６】
そこで、本発明の課題は、特定形状のスキミング装置がカードリーダの内部に取り付けられるのを阻止することが可能なカードリーダおよびカードリーダの制御方法を提供することにある。また、本発明の課題は、導電性材料で形成された特定形状のスキミング装置が万が一、カードリーダの内部に取り付けられても、スキミング装置による磁気データの読取を阻止することが可能なカードリーダおよびカードリーダの制御方法を提供することにある。さらに、本発明の課題は、金属で形成された特定形状のスキミング装置がカードリーダの内部に取り付けられるのを阻止することが可能なカードリーダおよびカードリーダの制御方法を提供することにある。
【課題を解決するための手段】
【０００７】
上記の課題を解決するため、本発明のカードリーダは、上位装置に搭載されて使用されるカードリーダにおいて、カードの挿入口が形成される側を手前側とし、その反対側を奥側とすると、挿入口から挿入されたカードが搬送されるカード搬送路と、挿入口の奥側に配置されオフ状態からオン状態に切り替わることでカードを検知するカード挿入検知機構と、カード挿入検知機構よりも奥側に配置されカード搬送路でカードを搬送する搬送ローラと、搬送ローラの回転を検知するための回転検知機構と、搬送ローラよりも奥側に配置されオフ状態からオン状態に切り替わることでカードを検知するカード検知機構とを備え、カードリーダの制御部は、カード挿入検知機構がオフ状態からオン状態に切り替わった後に、回転検知機構による搬送ローラの回転が検知されていないにもかかわらず、カード検知機構がオフ状態からオン状態に切り替わると、スキミング装置が挿入口から挿入されたことを知らせるアラーム信号を上位装置の制御部に送信することを特徴とする。
【０００８】
また、上記の課題を解決するため、本発明のカードリーダの制御方法は、カードの挿入口が形成される側を手前側とし、その反対側を奥側とすると、挿入口から挿入されたカードが搬送されるカード搬送路と、挿入口の奥側に配置されオフ状態からオン状態に切り替わることでカードを検知するカード挿入検知機構と、カード挿入検知機構よりも奥側に配置されカード搬送路でカードを搬送する搬送ローラと、搬送ローラの回転を検知するための回転検知機構と、搬送ローラよりも奥側に配置されオフ状態からオン状態に切り替わることでカードを検知するカード検知機構とを備え、上位装置に搭載されて使用されるカードリーダの制御方法であって、カード挿入検知機構がオフ状態からオン状態に切り替わった後に、回転検知機構による搬送ローラの回転が検知されていないにもかかわらず、カード検知機構がオフ状態からオン状態に切り替わると、スキミング装置が挿入口から挿入されたことを知らせるアラーム信号を上位装置の制御部に送信することを特徴とする。
【０００９】
本発明では、カード挿入検知機構がオフ状態からオン状態に切り替わった後に、回転検知機構による搬送ローラの回転が検知されていないにもかかわらず、カード検知機構がオフ状態からオン状態に切り替わると、スキミング装置が挿入口から挿入されたことを知らせるアラーム信号を上位装置の制御部に送信している。そのため、本発明では、アラーム信号を受信した上位装置の制御部が所定の処理を実行することで、特定形状のスキミング装置がカードリーダの内部に取り付けられるのを阻止することが可能になる。
【００１０】
すなわち、正規のカードが挿入口から挿入される場合には、カード挿入検知機構がオフ状態からオン状態に切り替わってから、カード検知機構よりも手前側に配置される搬送ローラにカードの奥側端が接触し搬送ローラが回転して回転検知機構で搬送ローラの回転が検知された後に、カード検知機構がオフ状態からオン状態に切り替わる。これに対して、特定形状のスキミング装置が挿入口から挿入されると、カード挿入検知機構がオフ状態からオン状態に切り替わった後に、このスキミング装置が搬送ローラに接触することなく、カード検知機構がオフ状態からオン状態に切り替わる場合が生じうる。
【００１１】
そのため、本発明のように、カード挿入検知機構がオフ状態からオン状態に切り替わった後に、回転検知機構による搬送ローラの回転が検知されていないにもかかわらず、カード検知機構がオフ状態からオン状態に切り替わったときに、スキミング装置が挿入口から挿入されたことを知らせるアラーム信号を上位装置の制御部に送信することで、また、アラーム信号を受信した上位装置の制御部が所定の処理を実行することで、特定形状のスキミング装置がカードリーダの内部に取り付けられるのを阻止することが可能になる。
【００１２】
さらに、上記の課題を解決するため、本発明のカードリーダは、上位装置に搭載されて使用されるカードリーダにおいて、カードの挿入口が形成される側を手前側とし、その反対側を奥側とすると、挿入口の奥側に配置されオフ状態からオン状態に切り替わることでカードを検知するカード挿入検知機構と、カード挿入検知機構よりも奥側に配置されオフ状態からオン状態に切り替わることでカードを検知する第１のカード検知機構と、第１のカード検知機構よりも奥側に配置されオフ状態からオン状態に切り替わることでカードを検知する第２のカード検知機構とを備え、カードリーダの制御部は、カード挿入検知機構がオフ状態からオン状態に切り替わった後、カード挿入検知機構がオン状態からオフ状態に切り替わる前に、第１のカード検知機構がオフ状態であるにもかかわらず、第２のカード検知機構がオン状態になると、スキミング装置が挿入口から挿入されたことを知らせるアラーム信号を上位装置の制御部に送信することを特徴とする。
【００１３】
また、上記の課題を解決するため、本発明のカードリーダの制御方法は、カードの挿入口が形成される側を手前側とし、その反対側を奥側とすると、挿入口の奥側に配置されオフ状態からオン状態に切り替わることでカードを検知するカード挿入検知機構と、カード挿入検知機構よりも奥側に配置されオフ状態からオン状態に切り替わることでカードを検知する第１のカード検知機構と、第１のカード検知機構よりも奥側に配置されオフ状態からオン状態に切り替わることでカードを検知する第２のカード検知機構とを備え、上位装置に搭載されて使用されるカードリーダの制御方法であって、カード挿入検知機構がオフ状態からオン状態に切り替わった後、カード挿入検知機構がオン状態からオフ状態に切り替わる前に、第１のカード検知機構がオフ状態であるにもかかわらず、第２のカード検知機構がオン状態になると、スキミング装置が挿入口から挿入されたことを知らせるアラーム信号を上位装置の制御部に送信することを特徴とする。
【００１４】
本発明では、カード挿入検知機構がオフ状態からオン状態に切り替わった後、カード挿入検知機構がオン状態からオフ状態に切り替わる前に、第１のカード検知機構がオフ状態であるにもかかわらず、第２のカード検知機構がオン状態になると、スキミング装置が挿入口から挿入されたことを知らせるアラーム信号を上位装置の制御部に送信している。そのため、本発明では、アラーム信号を受信した上位装置の制御部が所定の処理を実行することで、特定形状のスキミング装置がカードリーダの内部に取り付けられるのを阻止することが可能になる。
【００１５】
すなわち、正規のカードが挿入口から挿入される場合には、カード挿入検知機構がオフ状態からオン状態に切り替わった後、カード挿入検知機構がオン状態からオフ状態に切り替わる前に、第２のカード検知機構よりも手前側に配置される第１のカード検知機構がオフ状態であるにもかかわらず、第２のカード検知機構がオン状態になることはない。これに対して、特定形状のスキミング装置が挿入口から挿入されると、カード挿入検知機構がオフ状態からオン状態に切り替わった後、カード挿入検知機構がオン状態からオフ状態に切り替わる前に、第１のカード検知機構がオフ状態であるにもかかわらず、第２のカード検知機構がオン状態になる場合が生じうる。
【００１６】
そのため、本発明のように、カード挿入検知機構がオフ状態からオン状態に切り替わった後、カード挿入検知機構がオン状態からオフ状態に切り替わる前に、第１のカード検知機構がオフ状態であるにもかかわらず、第２のカード検知機構がオン状態になったときに、スキミング装置が挿入口から挿入されたことを知らせるアラーム信号を上位装置の制御部に送信することで、また、アラーム信号を受信した上位装置の制御部が所定の処理を実行することで、特定形状のスキミング装置がカードリーダの内部に取り付けられるのを阻止することが可能になる。
【００１７】
さらにまた、上記の課題を解決するため、本発明のカードリーダは、上位装置に搭載されて使用されるカードリーダにおいて、カードに形成されるＩＣチップの外部接続端子に接触する複数のＩＣ接点バネを有するＩＣ接点ブロックと、ＩＣ接点バネが外部接続端子に接触可能な接触可能位置とＩＣ接点バネが外部接続端子に接触しないように退避する退避位置との間でＩＣ接点ブロックを移動させる移動機構とを備え、カードリーダの制御部は、カードの挿入口へのカードの挿入許可指令が上位装置の制御部から入力されたときに、退避位置にあるＩＣ接点ブロックを接触可能位置に移動させてＩＣ接点バネに電流を供給するとともに、複数のＩＣ接点バネの間の短絡が検知されると、スキミング装置がカードリーダの内部に取り付けられていることを知らせるアラーム信号を上位装置の制御部に送信することを特徴とする。
【００１８】
また、上記の課題を解決するため、本発明のカードリーダの制御方法は、カードに形成されるＩＣチップの外部接続端子に接触する複数のＩＣ接点バネを有するＩＣ接点ブロックと、ＩＣ接点バネが外部接続端子に接触可能な接触可能位置とＩＣ接点バネが外部接続端子に接触しないように退避する退避位置との間でＩＣ接点ブロックを移動させる移動機構とを備え、上位装置に搭載されて使用されるカードリーダの制御方法であって、カードの挿入口へのカードの挿入許可指令が上位装置の制御部から入力されたときに、退避位置にあるＩＣ接点ブロックを接触可能位置に移動させてＩＣ接点バネに電流を供給するとともに、複数のＩＣ接点バネの間の短絡が検知されると、スキミング装置がカードリーダの内部に取り付けられていることを知らせるアラーム信号を上位装置の制御部に送信することを特徴とする。
【００１９】
本発明では、カードの挿入口へのカードの挿入許可指令が上位装置の制御部から入力されたときに、退避位置にあるＩＣ接点ブロックを接触可能位置に移動させてＩＣ接点バネに電流を供給するとともに、複数のＩＣ接点バネの間の短絡が検知されると、スキミング装置がカードリーダの内部に取り付けられていることを知らせるアラーム信号を上位装置の制御部に送信している。そのため、本発明では、アラーム信号を受信した上位装置の制御部が所定の処理を実行することで、導電性材料で形成された特定形状のスキミング装置が万が一、カードリーダの内部に取り付けられても、スキミング装置による磁気データの読取を阻止することが可能になる。
【００２０】
すなわち、導電性材料で形成された特定形状のスキミング装置がカードリーダの内部に取り付けられていない場合には、カードの挿入口へのカードの挿入許可指令が上位装置の制御部から入力されたときに、退避位置にあるＩＣ接点ブロックを接触可能位置に移動させてＩＣ接点バネに電流を供給しても、複数のＩＣ接点バネの間の短絡が検知されることはない。これに対して、導電性材料で形成された特定形状のスキミング装置がカードリーダの内部に取り付けられていると、カードの挿入口へのカードの挿入許可指令が上位装置の制御部から入力されたときに、退避位置にあるＩＣ接点ブロックを接触可能位置に移動させてＩＣ接点バネに電流を供給すると、複数のＩＣ接点バネの間の短絡が検知される場合が生じうる。
【００２１】
そのため、本発明のように、カードの挿入口へのカードの挿入許可指令が上位装置の制御部から入力されたときに、退避位置にあるＩＣ接点ブロックを接触可能位置に移動させてＩＣ接点バネに電流を供給するとともに、複数のＩＣ接点バネの間の短絡が検知される場合に、スキミング装置がカードリーダの内部に取り付けられていることを知らせるアラーム信号を上位装置の制御部に送信することで、また、アラーム信号を受信した上位装置の制御部が所定の処理を実行することで、導電性材料で形成された特定形状のスキミング装置が万が一、カードリーダの内部に取り付けられても、スキミング装置による磁気データの読取を阻止することが可能になる。
【００２２】
さらに、上記の課題を解決するため、本発明のカードリーダは、上位装置に搭載されて使用されるカードリーダにおいて、カードの挿入口が形成される側を手前側とし、その反対側を奥側とすると、挿入口から挿入されたカードが搬送されるカード搬送路と、カード搬送路でカードを搬送するカード搬送機構と、挿入口の奥側に配置されオフ状態からオン状態に切り替わることでカードを検知するカード挿入検知機構と、カード挿入検知機構よりも奥側に配置されオフ状態からオン状態に切り替わることでカードを検知するカード検知機構とを備え、カードリーダでのカードの処理時にカード搬送機構によって奥側まで搬送されたカードの手前端は、カード検知機構よりも手前側に配置されており、カードリーダの制御部は、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わると、カード搬送機構に手前側への搬送動作を行わせるとともに、その後、カード挿入検知機構のオフ状態が維持されると、スキミング装置が挿入口から挿入されたことを知らせるアラーム信号を上位装置の制御部に送信することを特徴とする。
【００２３】
また、上記の課題を解決するため、本発明のカードリーダの制御方法は、上位装置に搭載されて使用されるカードリーダであって、カードの挿入口が形成される側を手前側とし、その反対側を奥側とすると、挿入口から挿入されたカードが搬送されるカード搬送路と、カード搬送路でカードを搬送するカード搬送機構と、挿入口の奥側に配置されオフ状態からオン状態に切り替わることでカードを検知するカード挿入検知機構と、カード挿入検知機構よりも奥側に配置されオフ状態からオン状態に切り替わることでカードを検知するカード検知機構とを備え、カードリーダでのカードの処理時にカード搬送機構によって奥側まで搬送されたカードの手前端は、カード検知機構よりも手前側に配置されているカードリーダの制御方法であって、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わると、カード搬送機構に手前側への搬送動作を行わせるとともに、その後、カード挿入検知機構のオフ状態が維持されると、スキミング装置が挿入口から挿入されたことを知らせるアラーム信号を上位装置の制御部に送信することを特徴とする。
【００２４】
本発明では、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わると、カード搬送機構に手前側への搬送動作を行わせるとともに、その後、カード挿入検知機構のオフ状態が維持されると、スキミング装置が挿入口から挿入されたことを知らせるアラーム信号を上位装置の制御部に送信している。そのため、本発明では、アラーム信号を受信した上位装置の制御部が所定の処理を実行することで、特定形状のスキミング装置がカードリーダの内部に取り付けられるのを阻止することが可能になる。
【００２５】
すなわち、本発明では、カードリーダでのカードの処理時にカード搬送機構によって奥側まで搬送されたカードの手前端は、カード検知機構よりも手前側に配置されているため、正規のカードが挿入口から挿入される場合には、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わることはない。これに対して、特定形状のスキミング装置が挿入口から挿入されると、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わる場合が生じうる。また、この場合に、カード搬送機構に手前側への搬送動作を行わせても、特定形状のスキミング装置が搬送されず、カード挿入検知機構のオフ状態が維持される場合が生じうる。
【００２６】
そのため、本発明のように、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わったときに、カード搬送機構に手前側への搬送動作を行わせるとともに、その後、カード挿入検知機構のオフ状態が維持されたときに、スキミング装置が挿入口から挿入されたことを知らせるアラーム信号を上位装置の制御部に送信することで、また、アラーム信号を受信した上位装置の制御部が所定の処理を実行することで、特定形状のスキミング装置がカードリーダの内部に取り付けられるのを阻止することが可能になる。
【００２７】
なお、たとえば、カード検知機構で検知できない箇所を一部分に有する特殊なカードが挿入口から挿入されると、カードリーダへのカードの取込動作時に、カード挿入検知機構がオフ状態からオン状態に切り替わった後、カード検知機構がオフ状態からオン状態に切り替わり、その後、カード挿入検知機構がオン状態からオフ状態に切り替わった後に、カード検知機構がオフ状態に切り替わる場合がある。ただし、この場合には、カード搬送機構に手前側への搬送動作を行わせれば、カードは手前側に搬送されて、カード挿入検知機構がオフ状態からオン状態に切り替わる。そのため、本発明では、上述の特殊なカードが挿入口から挿入されたのか、それとも、特定形状のスキミング装置が挿入口から挿入されたのかを切り分けることが可能になる。
【００２８】
さらにまた、上記の課題を解決するため、本発明のカードリーダは、上位装置に搭載されて使用されるカードリーダにおいて、カードの挿入口が形成される側を手前側とし、その反対側を奥側とすると、挿入口から挿入されたカードが搬送されるカード搬送路と、カード搬送路でカードを搬送するカード搬送機構と、挿入口の奥側に配置されオフ状態からオン状態に切り替わることでカードに形成されるＩＣチップの外部接続端子を検知する金属検知機構と、金属検知機構よりも奥側に配置されオフ状態からオン状態に切り替わることでカードを検知するカード検知機構とを備え、カードリーダでのカードの処理時にカード搬送機構によって奥側まで搬送されたカードの手前端は、カード検知機構よりも手前側に配置されており、カードリーダの制御部は、カードリーダへのカードの取込動作時に、外部接続端子が形成された正規のカードが挿入口に挿入されたときの態様と異なる態様で金属検知機構がオンオフし、かつ、カード検知機構がオフ状態からオン状態に切り替わった後に、カード検知機構がオフ状態に切り替わると、スキミング装置が挿入口から挿入されたことを知らせるアラーム信号を上位装置の制御部に送信することを特徴とする。
【００２９】
また、上記の課題を解決するため、本発明のカードリーダの制御方法は、上位装置に搭載されて使用されるカードリーダであって、カードの挿入口が形成される側を手前側とし、その反対側を奥側とすると、挿入口から挿入されたカードが搬送されるカード搬送路と、カード搬送路でカードを搬送するカード搬送機構と、挿入口の奥側に配置されオフ状態からオン状態に切り替わることでカードに形成されるＩＣチップの外部接続端子を検知する金属検知機構と、金属検知機構よりも奥側に配置されオフ状態からオン状態に切り替わることでカードを検知するカード検知機構とを備え、カードリーダでのカードの処理時にカード搬送機構によって奥側まで搬送されたカードの手前端は、カード検知機構よりも手前側に配置されているカードリーダの制御方法であって、カードリーダへのカードの取込動作時に、外部接続端子が形成された正規のカードが挿入口に挿入されたときの態様と異なる態様で金属検知機構がオンオフし、かつ、カード検知機構がオフ状態からオン状態に切り替わった後に、カード検知機構がオフ状態に切り替わると、スキミング装置が挿入口から挿入されたことを知らせるアラーム信号を上位装置の制御部に送信することを特徴とする。
【００３０】
本発明では、カードリーダへのカードの取込動作時に、外部接続端子が形成された正規のカードが挿入口に挿入されたときの態様と異なる態様で金属検知機構がオンオフし、かつ、カード検知機構がオフ状態からオン状態に切り替わった後に、カード検知機構がオフ状態に切り替わると、スキミング装置が挿入口から挿入されたことを知らせるアラーム信号を上位装置の制御部に送信している。そのため、本発明では、アラーム信号を受信した上位装置の制御部が所定の処理を実行することで、金属で形成された特定形状のスキミング装置がカードリーダの内部に取り付けられるのを阻止することが可能になる。
【００３１】
すなわち、本発明では、カードリーダでのカードの処理時にカード搬送機構によって奥側まで搬送されたカードの手前端は、カード検知機構よりも手前側に配置されているため、正規のカードが挿入口から挿入される場合には、カードリーダへのカードの取込動作時に、カード検知機構がオフ状態からオン状態に切り替わった後に、カード検知機構がオフ状態に切り替わることはない。これに対して、金属で形成された特定形状のスキミング装置が挿入口から挿入されると、カードリーダへのカードの取込動作時に、外部接続端子が形成された正規のカードが挿入口に挿入されたときの態様と異なる態様で金属検知機構がオンオフするとともに、カード検知機構がオフ状態からオン状態に切り替わった後に、カード検知機構がオフ状態に切り替わる場合が生じうる。
【００３２】
そのため、本発明のように、カードリーダへのカードの取込動作時に、外部接続端子が形成された正規のカードが挿入口に挿入されたときの態様と異なる態様で金属検知機構がオンオフし、かつ、カード検知機構がオフ状態からオン状態に切り替わった後に、カード検知機構がオフ状態に切り替わったときに、スキミング装置が挿入口から挿入されたことを知らせるアラーム信号を上位装置の制御部に送信することで、また、アラーム信号を受信した上位装置の制御部が所定の処理を実行することで、金属で形成された特定形状のスキミング装置がカードリーダの内部に取り付けられるのを阻止することが可能になる。
【００３３】
なお、たとえば、カード検知機構で検知できない箇所を一部分に有する特殊なカードが挿入口から挿入されると、カードリーダへのカードの取込動作時に、カード検知機構がオフ状態からオン状態に切り替わった後に、カード検知機構がオフ状態に切り替わる場合がある。ただし、この場合には、上述の特殊なカードにおいて、正規のカードと同じ位置に外部接続端子が形成されていれば、正規のカードが挿入口に挿入されたときの態様と同じ態様で金属検知機構がオンオフする。そのため、本発明では、正規のカードと同じ位置に外部接続端子が形成された特殊なカードが挿入口から挿入されたのか、それとも、金属で形成された特定形状のスキミング装置が挿入口から挿入されたのかを切り分けることが可能になる。
【発明の効果】
【００３４】
以上のように、本発明では、特定形状のスキミング装置がカードリーダの内部に取り付けられるのを阻止することが可能になる。また、本発明では、導電性材料で形成された特定形状のスキミング装置が万が一、カードリーダの内部に取り付けられても、スキミング装置による磁気データの読取を阻止することが可能になる。さらに、本発明では、金属で形成された特定形状のスキミング装置がカードリーダの内部に取り付けられるのを阻止することが可能になる。
【図面の簡単な説明】
【００３５】
【図１】本発明の実施の形態にかかるカードリーダの構成を説明するための平面図である。
【図２】図１に示すカード挿入検知機構の構成を説明するための正面図である。
【図３】図１に示すカード検知機構および搬送ローラの構成を説明するための側面図である。
【図４】図１に示すカードリーダが搭載される上位装置およびカードリーダのブロック図である。
【図５】図１に示すカードリーダの内部に取り付けられると想定されるスキミング装置とカードリーダの各構成との配置関係を説明するための平面図である。
【図６】図１に示すカードリーダでのカードの取込動作時の制御方法の一例を説明するためのフローチャートである。
【図７】図１に示すカードリーダでのカードの取込動作前の制御方法の一例を説明するためのフローチャートである。
【図８】（Ａ）は、本発明の他の実施の形態にかかるカードリーダの構成を説明するための平面図であり、（Ｂ）、（Ｃ）は、（Ａ）に示すカードリーダの内部に取り付けられると想定されるスキミング装置とカードリーダの各構成との配置関係を説明するための平面図である。
【図９】図８（Ａ）に示すカードリーダでのカードの取込動作時の制御方法の一例を説明するためのフローチャートである。
【発明を実施するための形態】
【００３６】
以下、図面を参照しながら、本発明の実施の形態を説明する。
【００３７】
（カードリーダの構成）
図１は、本発明の実施の形態にかかるカードリーダ１の構成を説明するための平面図である。図２は、図１に示すカード挿入検知機構１４の構成を説明するための正面図である。図３は、図１に示すカード検知機構１５、１６および搬送ローラ２６の構成を説明するための側面図である。図４は、図１に示すカードリーダ１が搭載される上位装置３およびカードリーダ１のブロック図である。
【００３８】
本形態のカードリーダ１は、カード２に記録された磁気データの読取やカード２への磁気データの記録を行うための装置であり、ＡＴＭ（Ａｕｔｏｍａｔｅｄ  Ｔｅｌｌｅｒ  Ｍａｃｈｉｎｅ）等の上位装置３に搭載されて使用される。カードリーダ１は、カード２が挿入される挿入口４が形成されるカード挿入部５と、本体部６とを備えている。カードリーダ１の内部には、挿入口４から挿入されたカード２が搬送されるカード搬送路７が形成されており、カードリーダ１は、カード搬送路７でカード２を搬送するカード搬送機構８（図３参照）を備えている。
【００３９】
本形態では、図１等に示すＸ方向でカード２が搬送される。また、カード２は、図１等のＸ１方向に挿入され、Ｘ２方向に排出される。すなわち、Ｘ１方向は、挿入口４へのカード２の挿入方向であり、Ｘ２方向は、挿入口４からのカード２の排出方向である。また、Ｘ方向に直交する図１等のＺ方向は、挿入口４に挿入されたカード２の厚さ方向であり、Ｘ方向とＺ方向とに直交する図１等のＹ方向は、カード２の幅方向である。以下の説明では、Ｘ方向を前後方向とし、Ｙ方向を左右方向とし、Ｚ方向を上下方向とする。また、前後方向のうちの、挿入口４が形成される側（Ｘ２方向側）を「手前」側とし、その反対側（Ｘ１方向側）を「奥（後ろ）」側とする。また、上下方向のうちの、一方側（Ｚ１方向側）を「上」側とし、その反対側（Ｚ２方向側）を「下」側とする。
【００４０】
カード２は、厚さが０．７〜０．８ｍｍ程度の長方形状の塩化ビニール製のカードである。また、本形態のカード２は、国際規格（ＩＳＯ／ＩＥＣ７８１１）やＪＩＳ規格（ＪＩＳＸ６３０２）に準拠した磁気ストライプ付きの接触式ＩＣカードである。図１（Ａ）に示すように、カード２の裏面（下面）には、磁気データが記録される磁気ストライプ２ａが形成されている。また、カード２には、ＩＣチップが内蔵されており、カード２のおもて面（上面）には、ＩＣチップの外部接続端子２ｂが形成されている。磁気ストライプ２ａおよび外部接続端子２ｂは、国際規格やＪＩＳ規格で規定された所定の位置に形成されている。
【００４１】
カードリーダ１は、磁気ストライプ２ａに記録された磁気データの読取および磁気ストライプ２ａへの磁気データの記録の少なくともいずれか一方を行う磁気ヘッド１０（図４参照）と、カード２の外部接続端子２ｂに接触する複数のＩＣ接点バネ１１を有するＩＣ接点ブロック１２とを備えている。また、カードリーダ１は、カード搬送路７を閉鎖するためのシャッタ部材１３と、挿入口４にカード２が挿入されたことを検知するためのカード挿入検知機構１４と、カード搬送路７においてカード２の有無を検知するためのカード検知機構１５、１６と、カードリーダ１を制御する制御部１７とを備えている。制御部１７は、上位装置３の制御部である上位制御部１８に接続されている。
【００４２】
カード挿入部５は、本体部６の前端に繋がっている。カード搬送路７は、図３に示すように、カード搬送路７の上面を構成する上ガイド部材１９と、カード搬送路７の下面を構成する下ガイド部材２０とを備えている。上ガイド部材１９および下ガイド部材２０は、絶縁性を有する樹脂材料で形成されている。磁気ヘッド１０およびＩＣ接点ブロック１２は、本体部６の内部に配置されている。磁気ヘッド１０は、磁気ヘッド１０のギャップ部がカード搬送路７に下側から臨むように配置されている。ＩＣ接点ブロック１２は、磁気ヘッド１０よりも手前側に配置されている。また、ＩＣ接点ブロック１２は、上側からカード搬送路７に臨むように配置されている。磁気ヘッド１０は、制御部１７に電気的に接続されている。
【００４３】
ＩＣ接点ブロック１２には、ＩＣ接点バネ１１が外部接続端子２ｂに接触可能な接触可能位置と、ＩＣ接点バネ１１が外部接続端子２ｂに接触しないように退避する（具体的には、上側へ退避する）退避位置との間でＩＣ接点ブロック１２を移動させる移動機構２１（図４参照）が連結されている。移動機構２１は、ソレノイド等の駆動源と、駆動源の動力をＩＣ接点ブロック１２に伝達するリンク機構等の動力伝達機構とを備えている。移動機構２１は、制御部１７に接続されている。具体的には、移動機構２１の駆動源が制御部１７に電気的に接続されている。また、ＩＣ接点バネ１１は、制御部１７に電気的に接続されており、制御部１７は、ＩＣ接点バネ１１に電流を供給する。
【００４４】
カード挿入検知機構１４は、挿入口４の奥側に配置されており、挿入口４に挿入されたカード２を検知する。本形態のカード挿入検知機構１４は、挿入口４に挿入されたカード２の幅（左右方向の幅）を検知することで、挿入口４にカード２が挿入されたことを検知する幅検知機構である。このカード挿入検知機構１４は、図２に示すように、左右方向の両側のそれぞれに配置される２個のレバー部材２２と、２個のセンサ２３とを備えている。カード挿入検知機構１４は、カード挿入部５の前端側部分に配置されている。また、カード挿入検知機構１４は、制御部１７に電気的に接続されている。具体的には、２個のセンサ２３が制御部１７に電気的に接続されている。センサ２３は、互いに対向するように配置される発光部と受光部とを有する透過型の光学式センサである。このセンサ２３は、発光部と受光部とが前後方向で対向するようにカード搬送路７の上側に配置されている。なお、図１では、センサ２３の図示を省略している。
【００４５】
レバー部材２２は、前後方向から見たときの形状が略Ｌ形状となるように形成されており、左右方向におけるカード搬送路７の両端側のそれぞれに配置されるカード接触部２２ａと、カード接触部２２ａの上端から左右方向の内側へ伸びる遮光部２２ｂとから構成されている。このレバー部材２２は、カード接触部２２ａと遮光部２２ｂとの境界部分を回動の中心にするとともに前後方向を回動の軸方向とする回動が可能となるように、カード挿入部５のフレームに回動可能に保持されている。遮光部２２ｂは、カード搬送路７の上側に配置されている。また、レバー部材２２は、カード接触部２２ａの下端側がカード搬送路７の中に配置されるように、図示を省略するバネ部材によって付勢されている。
【００４６】
挿入口４にカード２が挿入される前の待機時には、図２の実線で示すように、カード接触部２２ａの下端側がカード搬送路７の中に配置されており、２個の遮光部２２ｂのそれぞれは、センサ２３の発光部と受光部との間を遮っている。このときには、カード挿入検知機構１４は、オフ状態になっている。この状態で、短手方向の幅が所定の幅となっているカード２が挿入口４に挿入されると、図２の二点鎖線で示すように、カード２の左右の両端が２個のカード接触部２２ａの下端側のそれぞれに接触して、センサ２３の発光部と受光部との間から２個の遮光部２２ｂのそれぞれが外れるまで、２本のレバー部材２２が回動する。２個のセンサ２３の発光部と受光部との間から２個の遮光部２２ｂのそれぞれが外れると、カード挿入検知機構１４は、オン状態になる。
【００４７】
一方、挿入口４に挿入されたカード２の幅が所定の幅よりも狭くなっており、２個のセンサ２３のうちの少なくともいずれか一方のセンサ２３の発光部と受光部との間から遮光部２２ｂが外れない場合には、カード挿入検知機構１４は、オフ状態のままである。このように、カード挿入検知機構１４は、挿入口４に挿入されたカード２の左右方向の幅が所定の幅である場合にオフ状態からオン状態に切り替わることで、カード２を検知する。なお、挿入口４にカード２が挿入される前の待機時に、２個の遮光部２２ｂのそれぞれがセンサ２３の発光部と受光部との間から外れていることで、カード挿入検知機構１４がオフ状態になっていても良い。この場合には、所定の幅のカード２が挿入口４に挿入されて、センサ２３の発光部と受光部との間が２個の遮光部２２ｂのそれぞれに遮られると、カード挿入検知機構１４がオン状態になる。
【００４８】
シャッタ部材１３は、カード挿入部５と本体部６との境界部分、または、カード挿入部５の奥端側部分に配置されている。シャッタ部材１３には、シャッタ駆動機構２４（図４参照）が連結されている。シャッタ駆動機構２４は、ソレノイド等の駆動源と、駆動源の動力をシャッタ部材１３に伝達するリンク機構等の動力伝達機構とを備えている。シャッタ駆動機構２４は、制御部１７に接続されている。具体的には、シャッタ駆動機構２４の駆動源が制御部１７に電気的に接続されている。
【００４９】
シャッタ部材１３は、カード搬送路７を閉鎖する閉鎖位置（図３の二点鎖線で示す位置）とカード搬送路７から退避してカード搬送路７を開放する開放位置（図３の実線で示す位置）との間で移動可能となっている。本形態では、カード挿入検知機構１４がオフ状態のときに、シャッタ部材１３は、閉鎖位置に配置されており、カード挿入検知機構１４がオン状態になると、閉鎖位置から開放位置へ移動する。すなわち、シャッタ部材１３は、カード挿入検知機構１４がオフ状態からオン状態に切り替わると、閉鎖位置から開放位置へ移動する。
【００５０】
カード検知機構１５、１６は、本体部６の内部に配置されている。すなわち、カード検知機構１５、１６は、カード挿入検知機構１４よりも奥側に配置されている。また、カード検知機構１５とカード検知機構１６とは、前後方向にずれた状態で配置されている。本形態では、カード検知機構１５よりも奥側にカード検知機構１６が配置されている。カード検知機構１５、１６は、制御部１７に電気的に接続されている。また、カード検知機構１５、１６は、互いに対向するように配置される発光部１５ａ、１６ａと受光部１５ｂ、１６ｂとを有する透過型の光学式センサである。図３に示すように、発光部１５ａと受光部１５ｂとは、上下方向でカード搬送路７を挟んだ状態で配置され、発光部１６ａと受光部１６ｂとは、上下方向でカード搬送路７を挟んだ状態で配置されている。
【００５１】
発光部１５ａ、１６ａと受光部１５ｂ、１６ｂとの間にカード２がない場合には、受光部１５ｂ、１６ｂは、発光部１５ａ、１６ａからの光を受光している。このときには、カード検知機構１５、１６は、オフ状態になっている。この状態で、発光部１５ａ、１６ａと受光部１５ｂ、１６ｂとの間にカード２が入ると、発光部１５ａ、１６ａから受光部１５ｂ、１６ｂに向かう光が遮られて、カード検知機構１５、１６がオン状態になる。このように、カード検知機構１５、１６は、オフ状態からオン状態に切り替わることでカード２を検知する。本形態のカード検知機構１５は、第１のカード検知機構であり、カード検知機構１６は、第２のカード検知機構である。
【００５２】
なお、カード検知機構１５、１６は、反射型の光学式センサであっても良い。この場合には、カード検知機構１５、１６の発光部からの光を受光部が受光していない場合に、カード検知機構１５、１６がオフ状態になり、カード検知機構１５、１６の発光部から射出されカード２で反射された光を受光部が受光すると、カード挿入検知機構１４がオン状態になる。
【００５３】
カード搬送機構８は、カード２に接触してカード搬送路７でカード２を搬送する搬送ローラ２６と、搬送ローラ２６を駆動するモータ２８（図４参照）と、モータ２８の動力を搬送ローラ２６に伝達する動力伝達機構（図示省略）とを備えている。搬送ローラ２６は、本体部６の内部に配置されている。すなわち、搬送ローラ２６は、カード挿入検知機構１４よりも奥側に配置されている。また、搬送ローラ２６は、カード検知機構１５、１６よりも手前側に配置されている。
【００５４】
図３に示すように、搬送ローラ２６には、パッドローラ２９が対向配置されている。搬送ローラ２６とパッドローラ２９とは上下方向で対向している。また、パッドローラ２９は、搬送ローラ２６に向かって付勢されており、カード２は、搬送ローラ２６とパッドローラ２９との間に挟まれた状態で搬送される。なお、カード搬送機構８は、搬送ローラ２６およびパッドローラ２９に加えて、搬送ローラ２６よりも奥側に配置されるいくつかの搬送ローラおよびパッドローラ（図示省略）を備えている。
【００５５】
モータ２８には、モータ２８の回転を検知するためのエンコーダ３０が取り付けられている。本形態では、モータ２８が停止している状態でも、搬送ローラ２６を回転させることが可能になっており、モータ２８が停止している状態で搬送ローラ２６が回転すると、エンコーダ３０でモータ２８の回転が検知される。すなわち、モータ２８が停止している状態で搬送ローラ２６が回転すると、エンコーダ３０で搬送ローラ２６の回転が検知される。モータ２８およびエンコーダ３０は、制御部１７に電気的に接続されている。本形態のエンコーダ３０は、搬送ローラ２６の回転を検知するための回転検知機構である。
【００５６】
（カードリーダの制御方法）
図５は、図１に示すカードリーダ１の内部に取り付けられると想定されるスキミング装置５０とカードリーダ１の各構成との配置関係を説明するための平面図である。図６は、図１に示すカードリーダ１でのカード２の取込動作時の制御方法の一例を説明するためのフローチャートである。図７は、図１に示すカードリーダ１でのカード２の取込動作前の制御方法の一例を説明するためのフローチャートである。
【００５７】
本形態のカードリーダ１の内部には、たとえば、図５に示すスキミング装置５０が取り付けられると想定される。スキミング装置５０は、長方形の平板状に形成されている。また、スキミング装置５０は、導電性を有する導電性材料で形成されている。具体的には、スキミング装置５０は、金属で形成されている。スキミング装置５０には、搬送ローラ２６との接触を回避するための切欠き部５０ａが形成されている。また、スキミング装置５０には、カードリーダ１の内部にスキミング装置５０が取り付けられたときに、発光部１５ａ、１６ａから受光部１５ｂ、１６ｂへ向かう光が遮られないように、貫通孔５０ｂが形成されている（図５（Ｃ）参照）。
【００５８】
制御部１７は、カードリーダ１の内部にスキミング装置５０が取り付けられないように、カード２の取込時に、以下のようにカードリーダ１を制御する。すなわち、上位装置３で所定の操作が行われて、上位制御部１８から制御部１７に、挿入口４へのカード２の挿入許可指令が入力されると、図６に示すように、制御部１７は、まず、カード挿入検知機構１４がオフ状態からオン状態に切り替わったのか否かを判断する（ステップＳ１）。ステップＳ１において、カード挿入検知機構１４がオフ状態のままである場合には、制御部１７は、カード２の取込動作を取り消すための取込動作取消指令が上位制御部１８から制御部１７に入力されたのか否かを判断する（ステップＳ２）。すなわち、制御部１７は、カード２の取込動作を取り消すための所定の操作が上位装置３で行われたのか否かを判断する。
【００５９】
ステップＳ２において、上位制御部１８から制御部１７に取込動作取消指令が入力されると、カードリーダ１のカード２の取込動作が終了する。一方、ステップＳ２において、上位制御部１８から制御部１７に取込動作取消指令が入力されない場合には、ステップＳ１へ戻る。また、ステップＳ１において、カード挿入検知機構１４がオフ状態からオン状態に切り替わると、シャッタ部材１３が閉鎖位置から開放位置へ移動する（ステップＳ３）。その後、制御部１７は、エンコーダ３０が搬送ローラ２６の回転を検知したのか否かを判断する（ステップＳ４）。
【００６０】
ステップＳ４において、搬送ローラ２６の回転が検知されていない場合には、制御部１７は、カード検知機構１５がオフ状態からオン状態に切り替わったのか否かを判断する（ステップＳ５）。ステップＳ５において、カード検知機構１５がオフ状態のままである場合には、制御部１７は、上位制御部１８から制御部１７にカード２の取込動作を取り消すための取込動作取消指令が入力されたのか否かを判断する（ステップＳ６）。ステップＳ６において、上位制御部１８から制御部１７に取込動作取消指令が入力されると、カードリーダ１のカード２の取込動作が終了する。一方、ステップＳ６において、上位制御部１８から制御部１７に取込動作取消指令が入力されない場合には、ステップＳ４へ戻る。
【００６１】
図１（Ｂ）および図３に示すように、挿入口４から挿入されたカード２の奥端が搬送ローラ２６に接触した後、さらに、カード２が挿入されると、搬送ローラ２６がカード２に押されて回転するため、ステップＳ４において、エンコーダ３０が搬送ローラ２６の回転を検知する。そのため、ステップＳ４において、搬送ローラ２６の回転が検知されると、モータ２８が起動して、カード搬送機構８によるカード２の搬送動作が開始される（ステップＳ７）。すなわち、ステップＳ７では、カード搬送機構８によって、カードリーダ１の奥側へカード２が搬送され始める。
【００６２】
また、ステップＳ４において、搬送ローラ２６の回転が検知されず、かつ、ステップＳ５において、カード検知機構１５がオフ状態からオン状態に切り替わる場合（すなわち、エンコーダ３０が搬送ローラ２６の回転を検知していないにもかかわらず、カード検知機構１５がオフ状態からオン状態に切り替わる場合）には、図５（Ａ）に示すように、スキミング装置５０の奥端がカード検知機構１５に到達する位置まで、スキミング装置５０が挿入口４から挿入されていると推定される。
【００６３】
これに対して、正規のカード２が挿入口４に挿入される場合には、カード検知機構１５よりも手前側に配置される搬送ローラ２６にカード２の奥端が接触して搬送ローラ２６が回転し、エンコーダ３０で搬送ローラ２６の回転が検知された後に、カード検知機構１５がオフ状態からオン状態に切り替わる。すなわち、正規のカード２が挿入口４に挿入される場合には、エンコーダ３０が搬送ローラ２６の回転を検知していないにもかかわらず、カード検知機構１５がオフ状態からオン状態に切り替わることはない。
【００６４】
そこで、ステップＳ５において、カード検知機構１５がオフ状態からオン状態に切り替わると、制御部１７は、カード２の取込動作を停止して（ステップＳ８）、スキミング装置５０が挿入口４から挿入されたことを知らせるアラーム信号を上位制御部１８に送信する（ステップＳ９）。具体的には、制御部１７は、ステップＳ９において、スキミング装置５０が挿入口４から挿入されたことを知らせるためのエラー度合の高いアラーム信号を上位制御部１８に送信する。アラーム信号が上位制御部１８に送信されると、カードリーダ１のカード２の取込動作が終了する。また、アラーム信号が入力された上位制御部１８は、スキミング装置５０がカードリーダ１の内部に取り付けられるのを阻止するために、上位装置３の動作を停止する等の所定の処理を実行する。
【００６５】
また、ステップＳ７において、モータ２８が起動して、カード搬送機構８によるカード２の搬送動作が開始されると、制御部１７は、カード挿入検知機構１４がオン状態からオフ状態に切り替わったのか否かを判断する（ステップＳ１０）。ステップＳ１０において、カード挿入検知機構１４がオン状態からオフ状態に切り替わると、以後のカード２の取込動作が継続される。一方、ステップＳ１０において、カード挿入検知機構１４がオン状態のままである場合には、制御部１７は、カード検知機構１５がオフ状態であり、かつ、カード検知機構１６がオン状態であるのか否かを判断する（ステップＳ１１）。
【００６６】
カード搬送機構８によるカード２の搬送動作が開始された後、カード検知機構１５、１６の両方がオン状態である場合には、図１（Ｃ）に示すように、カード２の手前端は、カード挿入検知機構１４を通過していないが、カード２の奥端がカード検知機構１６まで到達していると推定される。また、カード搬送機構８によるカード２の搬送動作が開始された後、カード検知機構１５、１６の両方がオフ状態である場合には、カード２の奥端がカード検知機構１５まで到達していないと推定され、カード検知機構１５がオン状態であり、かつ、カード検知機構１６がオフ状態である場合には、カード２の奥端がカード検知機構１５とカード検知機構１６との間まで到達していると推定される。そのため、ステップＳ１１で“Ｎｏ”となる場合には、ステップＳ１０へ戻る。
【００６７】
一方、ステップＳ１１において、カード検知機構１５がオフ状態であり、かつ、カード検知機構１６がオン状態である場合（すなわち、カード検知機構１５がオフ状態であるにもかかわらず、カード検知機構１６がオン状態になる場合）には、図５（Ｂ）に示すように、スキミング装置５０の奥端がカード検知機構１６に到達するとともに、スキミング装置５０の、貫通孔５０ｂが形成された部分がカード検知機構１５に到達する位置まで、スキミング装置５０が挿入口４から挿入されていると推定される。これに対して、正規のカード２が挿入口４に挿入される場合には、カード挿入検知機構１４がオン状態からオフ状態に切り替わる前に、カード検知機構１５がオフ状態であるにもかかわらず、カード検知機構１６がオン状態になることはない。
【００６８】
そこで、ステップＳ１１で“Ｙｅｓ”となる場合には、ステップＳ８へ進んで、制御部１７は、カード２の取込動作を停止する。具体的には、ステップＳ１１を経た後のステップＳ８では、制御部１７は、モータ２８を停止する。また、その後、ステップＳ９へ進んで、スキミング装置５０が挿入口４から挿入されたことを知らせるアラーム信号を上位制御部１８に送信する。なお、ステップＳ１１で“Ｙｅｓ”となる場合には、スキミング装置５０が挿入口４から挿入されているにもかからわらず、何らかの原因で、ステップＳ４において搬送ローラ２６の回転が検知されたと推定される。
【００６９】
このように、本形態では、カード挿入検知機構１４がオフ状態からオン状態に切り替わった後に、エンコーダ３０による搬送ローラ２６の回転が検知されていないにもかかわらず、カード検知機構１５がオフ状態からオン状態に切り替わると、スキミング装置５０が挿入口４から挿入されたことを知らせるアラーム信号が上位制御部１８に送信される。また、本形態では、カード挿入検知機構１４がオフ状態からオン状態に切り替わった後、カード挿入検知機構１４がオン状態からオフ状態に切り替わる前に、カード検知機構１５がオフ状態であるにもかかわらず、カード検知機構１６がオン状態になると、スキミング装置５０が挿入口４から挿入されたことを知らせるアラーム信号が上位制御部１８に送信される。
【００７０】
また、万が一、カードリーダ１の内部にスキミング装置５０が取り付けられてしまった場合であっても、制御部１７は、スキミング装置５０による磁気データの読取を阻止するために、以下のようにカードリーダ１を制御する。すなわち、上位装置３で所定の操作が行われて、上位制御部１８から制御部１７に、挿入口４へのカード２の挿入許可指令が入力されると、図７に示すように、制御部１７は、退避位置にあるＩＣ接点ブロック１２を接触可能位置に移動させる（ステップＳ２１）。その後、制御部１７は、ＩＣ接点バネ１１に電流を供給して（ステップＳ２２）、複数のＩＣ接点バネ１１の間で短絡が検知されているのか否か（すなわち、過電流が検知されているのか否か）を判断する（ステップＳ２３）。
【００７１】
カードリーダ１の内部に何も配置されていない状態で、ＩＣ接点ブロック１２を接触可能位置に移動させると、複数のＩＣ接点バネ１１は、絶縁性を有する樹脂材料で形成された下ガイド部材２０に接触する。そのため、カードリーダ１の内部に何も配置されていない状態で、ＩＣ接点ブロック１２を接触可能位置に移動させてＩＣ接点バネ１１に電流を供給しても、複数のＩＣ接点バネ１１の間で短絡が検知されることはない。
【００７２】
これに対して、本形態では、カードリーダ１の内部にスキミング装置５０が取り付けられている状態で、ＩＣ接点ブロック１２を接触可能位置に移動させると、金属で形成されたスキミング装置５０に複数のＩＣ接点バネ１１が接触する（図５（Ｃ）参照）。そのため、カードリーダ１の内部にスキミング装置５０が取り付けられている状態で、ＩＣ接点ブロック１２を接触可能位置に移動させてＩＣ接点バネ１１に電流を供給すると、複数のＩＣ接点バネ１１の間で短絡が検知される。すなわち、ＩＣ接点ブロック１２を接触可能位置に移動させた状態でＩＣ接点バネ１１に電流を供給したときに、複数のＩＣ接点バネ１１の間で短絡が検知される場合には、カードリーダ１の内部にスキミング装置５０が取り付けられていると推定される。
【００７３】
そこで、ステップＳ２３において、複数のＩＣ接点バネ１１の間で短絡が検知されない場合には、以後のカード２の取込動作が継続される。具体的には、上述のステップＳ１へ進む。一方で、ステップＳ２３において、複数のＩＣ接点バネ１１の間で短絡が検知されると、制御部１７は、スキミング装置５０がカードリーダ１の内部に取り付けられていることを知らせるアラーム信号を上位制御部１８に送信する（ステップＳ２４）。具体的には、制御部１７は、ステップＳ２４において、スキミング装置５０がカードリーダ１の内部に取り付けられていることを知らせるためのエラー度合の高いアラーム信号を上位制御部１８に送信する。アラーム信号が上位制御部１８に送信されると、カードリーダ１のカード２の取込動作が終了する。また、アラーム信号が入力された上位制御部１８は、スキミング装置５０による磁気データの読取を阻止するために、上位装置３の動作を停止する等の所定の処理を実行する。
【００７４】
このように、本形態では、挿入口４へのカード２の挿入許可指令が上位制御部１８から入力されたときに、退避位置にあるＩＣ接点ブロック１２を接触可能位置に移動させてＩＣ接点バネ１１に電流を供給するとともに、複数のＩＣ接点バネ１１の間の短絡が検知されると、スキミング装置５０がカードリーダ１の内部に取り付けられていることを知らせるアラーム信号が上位制御部１８に送信される。
【００７５】
（本形態の主な効果）
以上説明したように、本形態では、カード挿入検知機構１４がオフ状態からオン状態に切り替わった後に、エンコーダ３０による搬送ローラ２６の回転が検知されていないにもかかわらず、カード検知機構１５がオフ状態からオン状態に切り替わると、制御部１７は、スキミング装置５０が挿入口４から挿入されたことを知らせるアラーム信号を上位制御部１８に送信している。また、本形態では、カード挿入検知機構１４がオフ状態からオン状態に切り替わった後、カード挿入検知機構１４がオン状態からオフ状態に切り替わる前に、カード検知機構１５がオフ状態であるにもかかわらず、カード検知機構１６がオン状態になると、制御部１７は、スキミング装置５０が挿入口４から挿入されたことを知らせるアラーム信号を上位制御部１８に送信している。
【００７６】
すなわち、本形態では、上述のように、スキミング装置５０が挿入口４から挿入されていると推定される場合に、制御部１７は、スキミング装置５０が挿入口４から挿入されたことを知らせるアラーム信号を上位制御部１８に送信している。また、本形態では、このアラーム信号が上位制御部１８に送信されると、カードリーダ１のカード２の取込動作が終了し、アラーム信号が入力された上位制御部１８は、スキミング装置５０がカードリーダ１の内部に取り付けられるのを阻止するために、上位装置３の動作を停止する等の所定の処理を実行している。したがって、本形態では、図５に示すような特定形状をしたスキミング装置５０がカードリーダ１の内部に取り付けられるのを阻止することが可能になる。
【００７７】
本形態では、挿入口４へのカード２の挿入許可指令が上位制御部１８から入力されたときに、退避位置にあるＩＣ接点ブロック１２を接触可能位置に移動させてＩＣ接点バネ１１に電流を供給するとともに、複数のＩＣ接点バネ１１の間の短絡が検知されると、制御部１７は、スキミング装置５０がカードリーダ１の内部に取り付けられていることを知らせるアラーム信号を上位制御部１８に送信している。すなわち、本形態では、上述のように、カードリーダ１の内部にスキミング装置５０が取り付けられていると推定される場合に、制御部１７は、スキミング装置５０がカードリーダ１の内部に取り付けられていることを知らせるアラーム信号を上位制御部１８に送信している。
【００７８】
また、本形態では、このアラーム信号が上位制御部１８に送信されると、カードリーダ１のカード２の取込動作が終了し、アラーム信号が入力された上位制御部１８は、スキミング装置５０による磁気データの読取を阻止するために、上位装置３の動作を停止する等の所定の処理を実行している。したがって、本形態では、導電性材料で形成された特定形状のスキミング装置５０が万が一、カードリーダ１の内部に取り付けられても、スキミング装置５０による磁気データの読取を阻止することが可能になる。
【００７９】
なお、本形態では、既存のハードウエア構成を有するカードリーダ１のソフトウエアを変更することで、スキミング装置５０がカードリーダ１の内部に取り付けられるのを阻止することが可能になり、また、スキミング装置５０が万が一、カードリーダ１の内部に取り付けられても、スキミング装置５０による磁気データの読取を阻止することが可能になる。すなわち、本形態では、カードリーダ１のハードウエア構成を変更しなくても、スキミング対策を行うことが可能になり、その結果、カードリーダ１において比較的容易にスキミング対策を行うことが可能になる。
【００８０】
（カードリーダおよびカードリーダの制御方法の変形例１）
図８（Ａ）は、本発明の他の実施の形態にかかるカードリーダ１の構成を説明するための平面図であり、図８（Ｂ）、（Ｃ）は、図８（Ａ）に示すカードリーダ１の内部に取り付けられると想定されるスキミング装置６０とカードリーダ１の各構成との配置関係を説明するための平面図である。図９は、図８（Ａ）に示すカードリーダ１でのカード２の取込動作時の制御方法の一例を説明するためのフローチャートである。
【００８１】
図８（Ａ）に示すように、カードリーダ１でのカード２の処理時にカード搬送機構８によって奥側まで搬送されたカード２の手前端がカード検知機構１５よりも手前側に配置されている場合（より具体的には、カードリーダ１でのカード２の処理時に最も奥側まで搬送されたカード２の手前端がカード検知機構１５よりも手前側に配置されている場合）には、制御部１７は、カードリーダ１の内部にスキミング装置６０が取り付けられないように、カード２の取込時に、以下のようにカードリーダ１を制御しても良い。
【００８２】
なお、この変形例のカードリーダ１は、カード検知機構１６を備えていない。また、このカードリーダ１の内部に取り付けられると想定されるスキミング装置６０には、スキミング装置５０と同様に、搬送ローラ２６との接触を回避するための切欠き部６０ａが形成されるとともに、カードリーダ１の内部にスキミング装置６０が取り付けられたときに、発光部１５ａから受光部１５ｂへ向かう光が遮られないように、貫通孔６０ｂが形成されている（図８（Ｃ）参照）。また、このスキミング装置６０では、貫通孔６０ｂの奥端とスキミング装置６０の手前端との距離Ｌ１が、前後方向におけるカード挿入検知機構１４とカード検知機構１５との距離Ｌ２よりも短くなっている。
【００８３】
図９に示すように、上位装置３で所定の操作が行われて、上位制御部１８から制御部１７に、挿入口４へのカード２の挿入許可指令が入力され、カード挿入検知機構１４がオフ状態からオン状態に切り替わると（ステップＳ３１）、シャッタ部材１３が閉鎖位置から開放位置へ移動する（ステップＳ３２）。その後、カード検知機構１５がオフ状態からオン状態に切り替わり（ステップＳ３３）、カード挿入検知機構１４がオン状態からオフ状態に切り替わる（ステップＳ３４）。その後、制御部１７は、カード検知機構１５がオン状態からオフ状態に切り替わったのか否かを判断する（ステップＳ３５）。
【００８４】
この変形例では、カードリーダ１でのカード２の処理時に最も奥側まで搬送されたカード２の手前端はカード検知機構１５よりも手前側に配置されているため、正規のカード２が挿入口４から挿入される場合には、カードリーダ１へのカード２の取込動作時に、オフ状態からオン状態に切り替わったカード検知機構１５が再び、オフ状態に切り替わることはない。これに対して、スキミング装置６０が挿入口４から挿入されると、図８（Ｂ）、（Ｃ）に示すように、カードリーダ１への取込動作時に、オフ状態からオン状態に切り替わったカード検知機構１５が再び、オフ状態に切り替わる。また、挿入口４から挿入されたカード２の一部に、たとえば、透明な部分がある場合には、カードリーダ１への取込動作時に、オフ状態からオン状態に切り替わったカード検知機構１５が再び、オフ状態に切り替わることがある。
【００８５】
そこで、ステップＳ３５において、カード検知機構１５がオン状態のままである場合には、カード２の取込動作が継続され（ステップＳ３６）、制御部１７は、カード２がカードリーダ１の奥側まで取り込まれたのか否かを判断する（ステップＳ３７）。ステップＳ３７において、カード２がカードリーダ１の奥側まで取り込まれている場合には、そのまま、カード２の取込動作が完了し、ステップＳ３７において、カード２がカードリーダ１の奥側まで取り込まれていない場合には、ステップＳ３５に戻る。
【００８６】
また、ステップＳ３５において、カード検知機構１５がオン状態からオフ状態に切り替わると、制御部１７は、カード２の取込動作を停止して、カード２の排出処理を行う（ステップＳ３８）。すなわち、ステップＳ３８において、制御部１７は、カード２の取込動作を停止して、カード搬送機構８に手前側への搬送動作を行わせる。その後、制御部１７は、カード挿入検知機構１４がオフ状態からオン状態に切り替わったのか否かを判断する（ステップＳ３９）。
【００８７】
上述のように、たとえば、カード２の一部に透明な部分があるために、ステップＳ３５において、カード検知機構１５がオフ状態に切り替わる場合には、ステップＳ３８において、カード２の排出処理を行うと、カード搬送機構８によってカード２が手前側へ搬送されて、カード挿入検知機構１４がオフ状態からオン状態に切り替わる。また、カード挿入検知機構１４がオフ状態からオン状態に切り替わった状態では、挿入口４からカード２を引き抜くことが可能になる。したがって、ステップＳ３９において、カード挿入検知機構１４がオフ状態からオン状態に切り替わると、カード２の取込動作が終了する。また、挿入口４からカード２が引き抜かれると、たとえば、上位装置３を引き続き使用することが可能になる。
【００８８】
一方、ステップＳ３９において、カード挿入検知機構１４がオフ状態のままである場合には、図８（Ｃ）に示すように、スキミング装置６０がカードリーダ１の内部まで挿入されており、ステップＳ３８において、カード２の排出処理を行っても、カード搬送機構８によってスキミング装置６０を手前側に搬送できないため、カード挿入検知機構１４がオフ状態からオン状態に切り替わらないと推定される。
【００８９】
したがって、ステップＳ３９において、カード挿入検知機構１４がオフ状態のままである場合には、制御部１７は、スキミング装置６０が挿入口４から挿入されたことを知らせるアラーム信号を上位制御部１８に送信する（ステップＳ４０）。アラーム信号が上位制御部１８に送信されると、カードリーダ１のカード２の取込動作が終了する。また、アラーム信号が入力された上位制御部１８は、スキミング装置６０がカードリーダ１の内部に取り付けられるのを阻止するために、上位装置３の動作を停止する等の所定の処理を実行する。
【００９０】
このように、この変形例では、カードリーダ１へのカード２の取込動作時に、カード挿入検知機構１４がオフ状態からオン状態に切り替わった後、カード検知機構１５がオフ状態からオン状態に切り替わり、その後、カード挿入検知機構１４がオン状態からオフ状態に切り替わった後に、カード検知機構１５がオフ状態に切り替わると、カード搬送機構８に手前側への搬送動作を行わせるとともに、その後、カード挿入検知機構１４のオフ状態が維持されると、スキミング装置６０が挿入口４から挿入されたことを知らせるアラーム信号が上位制御部１８に送信されている。また、アラーム信号が入力された上位制御部１８は、スキミング装置６０がカードリーダ１の内部に取り付けられるのを阻止するために、上位装置３の動作を停止する等の所定の処理を実行する。したがって、この変形例では、特定形状をしたスキミング装置６０がカードリーダ１の内部に取り付けられるのを阻止することが可能になる。
【００９１】
（カードリーダおよびカードリーダの制御方法の変形例２）
図８（Ａ）に示すように、カードリーダ１でのカード２の処理時にカード搬送機構８によって奥側まで搬送されたカード２の手前端がカード検知機構１５よりも手前側に配置されている場合であって、オフ状態からオン状態に切り替わることでカード２の外部接続端子２ｂを検知する金属検知機構３３をカードリーダ１が備えている場合には、制御部１７は、カードリーダ１の内部にスキミング装置６０が取り付けられないように、カード２の取込時に、以下のようにカードリーダ１を制御しても良い。
【００９２】
なお、金属検知機構３３は、図８（Ａ）の二点鎖線で示すように、カード挿入部５の内部に配置されており、挿入口４の奥側に配置されている。すなわち、カード検知機構１５は、金属検知機構３３よりも奥側に配置されている。また、金属検知機構３３は、励磁用コイルと、検出用コイルと、磁性材料で形成され励磁用コイルおよび検出用コイルが巻回されるコアとを備えている。
【００９３】
この変形例では、外部接続端子２ｂが形成された正規のカード２が挿入口４に挿入されたときの態様と異なる態様で金属検知機構３３がオンオフし、かつ、カード検知機構１５がオフ状態からオン状態に切り替わった後に、カード検知機構１５がオフ状態に切り替わると、制御部１７は、スキミング装置６０が挿入口４から挿入されたことを知らせるアラーム信号を上位制御部１８に送信する。すなわち、外部接続端子２ｂが形成された正規のカード２が挿入口４に挿入されたときには起こり得ない検知結果が金属検知機構３３およびカード検知機構１５で得られた場合に、スキミング装置６０がカードリーダ１の内部まで挿入されたと推定して、制御部１７は、スキミング装置６０が挿入口４から挿入されたことを知らせるアラーム信号を上位制御部１８に送信する。
【００９４】
また、アラーム信号が入力された上位制御部１８は、スキミング装置６０がカードリーダ１の内部に取り付けられるのを阻止するために、上位装置３の動作を停止する等の所定の処理を実行する。そのため、この変形例では、金属で形成された特定形状のスキミング装置６０がカードリーダ１の内部に取り付けられるのを阻止することが可能になる。
【００９５】
なお、この変形例では、たとえば、一部に透明な部分があるカード２が挿入口４に挿入されると、カード検知機構１５がオフ状態からオン状態に切り替わった後に、カード検知機構１５がオフ状態に切り替わる場合が生じうる。ただし、この場合には、正規のカード２と同じ位置に外部接続端子２ｂが形成された特殊なカード２であれば、正規のカード２が挿入口４に挿入されたときの態様と同じ態様で金属検知機構３３がオンオフする。そのため、正規のカード２と同じ位置に外部接続端子２ｂが形成された特殊なカード２が挿入口４に挿入されたのか、それとも、金属で形成された特定形状のスキミング装置６０が挿入口４に挿入されたのかを切り分けることが可能になる。
【００９６】
（他の実施の形態）
上述した形態は、本発明の好適な形態の一例ではあるが、これに限定されるものではなく本発明の要旨を変更しない範囲において種々変形実施が可能である。
【００９７】
上述した形態において、ステップＳ３の後、そのまま、ステップＳ７へ進んでも良い。また、上述した形態において、ステップＳ７の後、そのまま、以後のカード２の取込動作が継続されても良い。これらの場合であっても、図５に示すような特定形状をしたスキミング装置５０がカードリーダ１の内部に取り付けられるのを阻止することが可能になる。
【００９８】
上述した形態では、カード挿入検知機構１４は、挿入口４に挿入されたカード２の幅を検知することで、挿入口４にカード２が挿入されたことを検知する幅検知機構であるが、カード挿入検知機構１４は、挿入口４に挿入されたカード２の奥側の端面を検知することで、挿入口４にカード２が挿入されたことを検知する検知機構であっても良いし、挿入口４に挿入されたカード２の磁気ストライプ２ａを検知することで、挿入口４にカード２が挿入されたことを検知する検知機構であっても良い。また、上述した形態では、カード検知機構１５、１６は、光学式センサであるが、カード検知機構１５、１６は、光学式センサ以外の検知機構であっても良い。
【００９９】
上述した形態では、モータ２８の回転を検知するためのエンコーダ３０によって搬送ローラ２６の回転が検知されているが、搬送ローラ２６の回転を検知するための回転検知機構が別途設けられても良い。また、上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、カード搬送機構８を備えるカード搬送式のカードリーダであるが、カードリーダ１は、ユーザが手動でカード２を移動させながら、磁気データの読取や記録を行う手動式のカードリーダであっても良い。
【符号の説明】
【０１００】
１  カードリーダ
２  カード
２ｂ  外部接続端子
３  上位装置
４  挿入口
７  カード搬送路
８  カード搬送機構
１１  ＩＣ接点バネ
１２  ＩＣ接点ブロック
１４  カード挿入検知機構
１５  カード検知機構（第１のカード検知機構）
１６  カード検知機構（第２のカード検知機構）
１７  制御部
１８  上位制御部（上位装置の制御部）
２１  移動機構
２６  搬送ローラ
３０  エンコーダ（回転検知機構）
３３  金属検知機構
５０、６０  スキミング装置
Ｘ１  奥側
Ｘ２  手前側
【図１】
0006539610.tif 000002
【図２】
0006539610.tif 000003
【図３】
0006539610.tif 000004
【図４】
0006539610.tif 000005
【図５】
0006539610.tif 000006
【図６】
0006539610.tif 000007
【図７】
0006539610.tif 000008
【図８】
0006539610.tif 000009
【図９】
0006539610.tif 000010